(57)【要約】【課題】ユーザがクラッチの見た目及びスタイルを変えることができるカスタマイズ可能なクラッチを提供する。【解決手段】カスタマイズ可能なクラッチ１０１は、一対の片半部を有する本体部１０２と、一対の片半部を有する硬質の内シェルと、一対の片半部を有する交換可能な外シェル１０３とを備える。取り外し可能な硬質の内シェルは、本体１０２を構成する硬質の一対の半シェルに磁石を使用して着脱自在に取り付けられる。交換可能な外シェル１０３は、留め具を使用して取り外し可能な硬質の内シェルに磁石を使用して着脱自在に取り付けられる。【選択図】      図１
2017200571.tif 000002
【特許請求の範囲】
【請求項１】
ヒンジによって底側に沿って取り付けられた一対の片半部を備え、該一対の片半部それぞれが第１の磁気部を有する本体と、
一対の片半部を備え、該一対の片半部それぞれが、前記本体に備えられた一対の片半部における前記第１の磁気部に着脱自在に装着される第２の磁気部を有する交換可能な硬質の内側シェルと、
一対の片半部を備え、該一対の片半部それぞれが、前記内側シェルに備えられた一対の片半部に着脱自在に装着されるファスナーを有する交換可能な外側シェルと、
口金土台及び少なくとも１つの取り外し可能な口金を有する交換可能な口金機構と、
を備えるカスタマイズ可能なクラッチバッグ。
【請求項２】
前記口金土台は、ラッチ及び解放ボタンを有するばね式ラッチ機構を備え、
前記取り外し可能な口金には、前記ラッチが噛み合うくぼみが形成されており、
前記解放ボタンが押された場合、前記ばね式ラッチ機構が前記取り外し可能な口金を前記クラッチバッグから取り外すことを可能にする請求項１に記載のカスタマイズ可能なクラッチバッグ。
【請求項３】
ヒンジによって底側に沿って取り付けられた一対の片半部を備え、該一対の片半部それぞれが磁気部を有する本体と、
一対の片半部を備え、該一対の片半部それぞれが、前記本体に備えらえた一対の片半部における前記磁気部に着脱自在に装着される磁気部を有する交換可能な硬質の内側シェルと、
一対の片半部を備え、該一対の片半部それぞれが、前記内側シェルに備えられた一対の片半部に着脱自在に装着されるファスナーを有する交換可能な外側シェルと、
を備えるカスタマイズ可能なクラッチバッグ。
【請求項４】
２つの半シェルを有する本体と、
口金土台及び少なくとも１つの取り外し可能な口金を有する交換可能な口金機構と、を備え、
前記口金土台は、ラッチ及び解放ボタンを有するばね式ラッチ機構を備え、
前記取り外し可能な口金には、前記ラッチが噛み合うくぼみが形成されており、
前記解放ボタンが押された場合、前記ばね式ラッチ機構が前記取り外し可能な口金を前記クラッチバッグから取り外すことを可能にするカスタマイズ可能なクラッチバッグ。
【発明の詳細な説明】
【技術分野】
【０００１】
本発明は、クラッチ（クラッチバック）に関し、より詳細には交換可能な外側シェルと交換可能な口金とを備えるカスタマイズ可能な又はモジュール式の硬質クラッチに関する。
【背景技術】
【０００２】
従来のハンドバッグは、ユーザが着用し得る様々な衣服の色又は生地とのコーディネートの自由度がない。こういったコーディネートは、女性のハンドバッグ及びクラッチにおいて特に重要である。最新ファッションのクラッチは、多くの場合は同じ様な形状であるが、非常に多種の装飾口金を有し、クラッチの外観を変えたり、時にはクラッチの機能を変えたりする
【先行技術文献】
【特許文献】
【０００３】
【特許文献１】米国特許第９３７０２２７号明細書
【発明の概要】
【発明が解決しようとする課題】
【０００４】
ユーザは、様々な服装で使用するために多数の異なるクラッチを購入して保管することを強いられている。あるいはユーザは、特別な機会で使用するのに、クラッチの表面が調和していなかったり、不適切であったりする場合であっても、同じクラッチを使用しなければならない。クラッチを複数持つことはお金がかかるだけでなく、クローゼットやスーツケースに多くの収納スペースを必要とする。さらに、あるクラッチに入っている物を別のクラッチに移すことは退屈なプロセスであり、元のクラッチのポケットに重要なものが気づかれないまま残される危険性がある。
【０００５】
外見を変えるために交換可能なカバーを備えたハンドバッグ及びクラッチを開発するいくつかの試みがなされている。様々な試みによっても、口の開いた財布又は財布の挿入スペースから物が損失する問題、財布に内ポケット及びフラップを付けると複雑さが増加する問題、カバーをバッグに固定するため手段が非効率的である問題及びハンドバッグに望ましくない嵩の高さ又は重さが結果として生じる問題を含む現在の問題は、完全には解決されていない。ハンドバッグ及び財布には、取り外し可能で交換可能なカバー及び取っ手を固定するための埋め込み式の開放スナップファスナーを提供するものもある。しかしながら、これらのスナップファスナーは容易に外れるし魅力的ではない。
【課題を解決するための手段】
【０００６】
上記に照らして、交換可能な外側シェル及び交換可能な口金を備えるカスタマイズ可能なクラッチが必要である。このように必要とされるクラッチは、硬質で容易にカスタマイズでき、外観を変えられる。カスタマイズ可能なクラッチは、本体と、交換可能な外側シェルと、交換可能な口金とを備える。カスタマイズ可能なクラッチはまた、外側シェルを容易に交換できるようにする固定機構を備える。さらに、クラッチは、所望のデザイン及び色を提供するために、口金又は取っ手を容易に交換することができる口金機構を備える。このようなユニークかつカスタマイズ可能な硬質のクラッチにより、ユーザが着用し得る異なる衣服とのコーディネートのためにクラッチをいくつも購入しなければならない必要性を回避する。本発明は、これらの目的を達成する。
【０００７】
本発明は、交換可能な外側シェル及び交換可能な口金を備えるカスタマイズ可能な硬質のクラッチである。カスタマイズ可能な硬質のクラッチは、硬質の本体と、本体に固定され、交換可能な少なくとも１つの外側シェルと、交換可能な口金機構とを備える。本体は、交換可能なシェルと交換可能な口金のためのプラットフォームとして機能する。交換可能な外側シェル及び交換可能な口金は、ユーザが着用し得る様々な衣服とコーディネートするために容易に変更することができる。
【０００８】
したがって、カスタマイズ可能なクラッチバッグは、ヒンジによって底側に沿って取り付けられた一対の片半部を備え、一対の片半部それぞれが第１の磁気部を有する。カスタマイズ可能なクラッチバッグはまた、一対の片半部を備え、一対の片半部それぞれが、本体に備えられた一対の片半部における第１の磁気部に着脱自在に装着される第２の磁気部を有する交換可能な硬質の内側シェルを備える。カスタマイズ可能なクラッチバッグはまた、一対の片半部を備え、一対の片半部それぞれが、内側シェルに備えられた一対の片半部に着脱自在に装着されるファスナーを有する交換可能な（軟質の）外側シェルを備える。
【０００９】
カスタマイズ可能なクラッチバッグはまた、交換可能な口金機構を備える。口金機構は、口金土台と、少なくとも１つの取り外し可能な口金とを有する。カスタマイズ可能なクラッチバッグは、ラッチ及び解放ボタンを含むばね式ラッチ機構を有する口金土台を備える。取り外し可能な口金には、ラッチが噛み合うくぼみが形成されている。解放ボタンが押された場合、ばね式ラッチ機構が、取り外し可能な口金をクラッチバッグから取り外すことを可能にする。
【００１０】
本発明の他の特徴及び利点は、本発明の原理を例として示す添付の図面と併せて、以下のより詳細な説明から明らかになるであろう。
【図面の簡単な説明】
【００１１】
【図１】本発明の一実施形態に係るカスタマイズ可能なクラッチの閉じた状態の斜視図。
【図２】本発明の一実施形態に係るカスタマイズ可能なクラッチの開いた状態の斜視図。
【図３】本発明の一実施形態に係るカスタマイズ可能なクラッチシステムの部分分解図。
【図４】交換可能な外側シェルの詳細を示す、本発明の一実施形態に係るカスタマイズ可能なクラッチの部分分解図。
【図５】本発明の一実施形態に係る口金部の側面図。
【図６】口金がユーザによって解放されている、本発明の一実施形態に係る口金機構の斜視図。
【図７Ａ】口金が取り外され、解放ボタンが上向き状態である口金機構の口金土台の斜視図。
【図７Ｂ】口金が取り外され、解放ボタンが下向き状態である口金機構の口金土台の斜視図。
【図７Ｃ】口金部の底面斜視図。
【図８】カスタマイズ可能なクラッチから取り外された口金土台の斜視図。
【図９】口金土台の機械的詳細を示す断面図。
【図１０】カスタマイズ可能なクラッチのばねを示すカスタマイズ可能なクラッチの断面図。
【発明を実施するための形態】
【００１２】
以下、本発明を実施することができる例示的な実施形態について説明する。ただし、本発明は多くの異なる方法で具体化されてもよく、本明細書で提供される記述は決して限定的に解釈されるべきではない。以下の詳細な説明は、限定的な意味で解釈すべきではない。
【００１３】
本明細書において、特に断りのない限り、「又は」という用語は、「Ａ又はＢ」が「ＡではあるがＢではない」、「ＢではなくＡである」、並びに「Ａ及びＢ」を含むような非排他的な「又は」の意味で使用される。さらに、本明細書で言及される全ての刊行物、特許及び特許文書は、参照により個々が本明細書に組み込まれているかのように、参照により全体が組み込まれる。参照により組み込まれた使用は、この文書の補足とみなされるべきである。参照により組み込まれた使用とこの文書との間に一貫性のない矛盾がある場合、この文章が優先する。
【００１４】
図１を参照すると、本発明の一態様によるカスタマイズ可能なクラッチ１０１が示されている。カスタマイズ可能なクラッチ１０１は、概して、本体１０２と、交換可能な外側シェル１０３に囲まれた少なくとも１つの交換可能な硬質の内側シェル（図１には示されていない）と、交換可能な口金機構１０４とを備える。本体１０２は、概して、２つの硬質の半シェル１０２Ａ，１０２Ｂを備える。２つの半シェル１０２Ａ，１０２Ｂは、本体１０２の下部に設けられたヒンジに沿って開閉する。図１は、２つの硬質の半シェル１０２Ａ，１０２Ｂが閉じた状態であることを示す。交換可能な口金機構１０４は、概して、口金土台（図１には示されていない）と、口金部１０５とを備える。
【００１５】
図２は、開いた状態のカスタマイズ可能なクラッチ１０１と、任意の附属品の例を示す。例えば、カスタマイズ可能なクラッチ１０１は、本体１０２の内側に形成されたフック１０６を備えることができ、様々なストラップ又はハンドルの取り付けを可能にする。また、本体１０２の内側に２つの側壁１０７を形成し、カスタマイズ可能なクラッチ１０１内に様々な物を収容することができる。一例では、ポケット１０８（ジッパー式又はジッパーなし）及びカードホルダー１０９がクラッチ１０１内に設けられており、カスタマイズ可能なクラッチ１０１内に収容された物の整理が可能となる。
【００１６】
図３は、複数の交換可能な外側カバー又は外側シェル１０３と、複数の口金部１０５とを備えるカスタマイズ可能なクラッチ１０１の部分分解図を示す。この図では、取り外し可能な硬質の内側半シェル１１０が本体１０２から取り外されて示されている。取り外し可能な硬質の内側半シェル１１０は、少なくとも１つの磁気部１１１（磁石でも金属ディスクでもよい）を介して、硬質の本体１０２に（取り外し可能に）固定される。本体１０２上の少なくとも１つの磁気部１１１に対応して、別の磁気部１１２（磁石でも金属ディスクでもよい）があり、取り外し可能な硬質の内側半シェル１１０を本体１０２に取り付けることができる。本体１０２上の磁気部１１１は、本体１０２の内側に形成された凹部に適合する。本体１０２の内側にあるライニングを使用して、磁気部１１２の外観を覆うことができる。
【００１７】
図３に示す磁気部１１１は、円形であるが、様々な形状とすることができる。金属板をいずれかの磁気部と組み合わせて使用して、マグネットの強度を増大させたり、カスタマイズ可能なクラッチ１０１に収容した物を磁石から保護することができる。
【００１８】
口金部１０５は、様々な形状とすることができ、様々な材料で作成することができる。好ましい実施形態では、口金部１０５は、宝石又は石でできている。各口金部１０５は、カスタマイズ可能なクラッチ１０１の本体１０２にある口金土台１１８とかみ合う形状の凹部１２２を有する。
【００１９】
交換可能な外側シェル１０３は、革、スエード、デニム、綿又は他の天然もしくは人工の織物材料を含むが、これらに限定されない様々な材料で作ることができ、様々なパターン又は装飾を備えることができる。好ましい実施形態では、交換可能な外側シェル１０３は軟質である。
【００２０】
図４は、本発明の一態様による交換可能な外側シェル１０３の詳細を示す。交換可能な外側シェル１０３は、主矩形部１１３と、主矩形部１１３の各辺から延びる４つの側壁１１４とを備える。４つの側壁１１４それぞれの先端には、タブ１１５が設けられている。取り外し可能な硬質の内側半シェル１１０も同様に、主矩形部１１６と、主矩形部１１６から延びる４つの側壁１１７とを備える。面ファスナー１１５（ＶＥＬＣＲＯ（登録商標）など）が、４つの側壁１１４と、取り外し可能な硬質の内側半シェル１１０の４つの側壁１１７の内壁に設けられている。好ましい実施形態では、取り外し可能な硬質の内側半シェル１１０は面取りされたコーナーを有し、交換可能な外シェル１０３が取り外し可能な硬質の内側半シェル１１０を覆うことができる。
【００２１】
図５は、口金土台１１８を介して本体１０２に接続された口金部１０５を備える交換可能な口金機構１０４の側面図を示す。この図には、口金部１０５を容易に交換することができる解放ボタン１１９が示されている。
【００２２】
図６は、口金土台１１８の解放ボタン１１９をユーザが押して口金部１０５を口金土台１１８から外すようにスライドさせることを示す。ユーザが解放ボタン１１９を押すと、口金部１０５が口金土台１１８に設けられたラッチから解放される。
【００２３】
図７Ａは、口金土台１１８の斜視図を示す。ネジ等の締結具１２０は、口金具の土台１１８を一つにまとめている。この例では、口金具の土台１１８は係合状態であり、解放ボタン１１９は非作動状態にあり、ばね式ラッチ機構１２１は、口金部１０５（この図には示されていない）を定位置に保持するために上向きとなっている。ばね式ラッチ機構１２１のラッチが上向きにある状態では、ラッチは、口金部１０５に形成されたくぼみ１２９（図７Ｃに示す）と噛み合うことができる。
【００２４】
図７Ｂは、解放ボタン１１９が押されてばね式ラッチ機構１２１のラッチを下降させることにより、ばね式ラッチ機構１２１が下向きにある状態を示す。ばね式ラッチ機構１２１のラッチが下がると、口金部１０５をユーザが外すことができる。
【００２５】
図７Ｃは、口金部１０５の底部を示す。口金部１０５は、口金土台１１８（図７Ａ及び図７Ｂに示す）と噛み合うように形成された凹部１２２を備える。好ましい実施形態では、凹部１２２及び口金土台１１８は、蟻継ぎ形状（dovetail shaped）である。本発明の概ねの範囲から逸脱することなく、他の形状を使用することもできる。凹部１２２は、基部１２３と、２つの側壁１２４と、後部当接壁１２５とによって規定されている。凹部１２２には、図７Ａ及び図７Ｂに示すばね式ラッチ機構１２１のラッチと噛み合うくぼみ１２９が形成されている。
【００２６】
図８は、カスタマイズ可能なクラッチ１０１の本体１０２から取り外された口金土台１１８の斜視図を示す。口金土台１１８は、口金土台１１８の本体にしっかりと固定されたばね式ラッチ機構１２１及びＵ字形部１２６を有する。口金土台１１８は、多数の締結具１２０及び解放ボタン１１９を有する。
【００２７】
図９は、口金土台１１８及びばね式ラッチ機構１２１の断面図を示す。解放ボタン１１９が押されると、解放ボタン１１９はばね式ラッチ機構１２１をばね１２７に抗して作動させ、ばね式ラッチ機構１２１のラッチ部分を下降させる。ばね式ラッチ機構１２１のラッチ部が下降すると、口金部１０５をスライドさせて取り外し、交換することができる。ばね式ラッチ機構１２１のラッチ部分はまた、ラッチ部分に沿った口金部１０５の摺動がばねの力に抗してラッチ部分を押し下げるように先細になっている。
【００２８】
図１０は、カスタマイズ可能なクラッチ１０１のばね１２８及び口金部１０５が示されたクラッチ１０１の断面図を示す。ばね１２７は、口金土台１１８のＵ字形部１２６を通って延びている。ばね１２８がＵ字形部１２６の動きによってねじられると、トルクが発生し、カスタマイズ可能なクラッチ１０１の本体上で口金土台を閉じた状態に維持する。ばね１２８は、カスタマイズ可能なクラッチ１０１の本体１０２の内側コーナーの周りに延び、このコーナーは、ばね１２８がその上でねじれる支点となる。
【００２９】
本発明の特定の形態が図示及び説明されたが、本発明の主旨及び範囲から逸脱することなく様々な変更が可能であることは明らかであろう。したがって、添付の特許請求の範囲を除いて、本発明が限定されることは意図されていない。
【符号の説明】
【００３０】
１０１…クラッチ、１０２…本体、１０３…外側シェル、１０４…口金機構、１１０…内側半シェル。
【図１】
2017200571.tif 000003
【図２】
2017200571.tif 000004
【図３】
2017200571.tif 000005
【図４】
2017200571.tif 000006
【図５】
2017200571.tif 000007
【図６】
2017200571.tif 000008
【図７Ａ】
2017200571.tif 000009
【図７Ｂ】
2017200571.tif 000010
【図７Ｃ】
2017200571.tif 000011
【図８】
2017200571.tif 000012
【図９】
2017200571.tif 000013
【図１０】
2017200571.tif 000014